(57)【要約】【目的】容易な嵌合部調整で絶縁注入材の漏れを防止し、且つ組立作業性が向上できる電気機器を提供する。【構成】ケース内部に電気部品を収容し内部を絶縁注型材で封止し、当該ケースの一部にケース内の電気部品と外部機器との間で電気的接続が可能なコネクタ部を備え、当該コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に平面形状を有する。【選択図】図１
2009230947.tif 000002
【特許請求の範囲】
【請求項１】
内部に電気部品を収容し、当該電気部品の電気的絶縁及び／または機械的固定を行うための絶縁注型材で封止した電気用ケースと、当該電気用ケースの一部にケース内の電気部品と外部機器との間で電気的接続が可能なコネクタ部を備え、当該コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に平面形状を有することを特徴とするコネクタ構造。
【請求項２】
コネクタを備えたケースと、当該ケース内に、鉄芯と、鉄芯と同軸的に１次コイルと、２次コイルと、１次コイルに通電される電流をスイッチング制御するイグナイタとを収容し、前記ケースを絶縁注型材で封止する内燃機関用点火コイルにおいて、コネクタ部は１次コイルとイグナイタと電気的に接続されるコネクタ端子と前記コネクタ端子の先端を開放する開口部と前記コネクタ端子の後端を保持するコネクタ底面とコネクタ端子が前記コネクタ底面と嵌合する嵌合部とを備え、前記嵌合部がコネクタ端子の外周方向とコネクタ端子の先端方向とにコネクタ底面から突出した突出部を有し、前記突出部はコネクタ端子の先端方向側に平面形状を有することを特徴とするコネクタ構造を用いた点火装置。
【請求項３】
内部に電気部品を収容し、当該電気部品の電気的絶縁及び／または機械的固定を行うための絶縁注型材で封止した電気用ケースと、当該電気用ケースの一部にケース内の電気部品と外部機器との間で電気的接続が可能なコネクタ部を備え、当該コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に球面形状を有することを特徴とするコネクタ構造。
【請求項４】
コネクタを備えたケースと、当該ケース内に、鉄芯と、鉄芯と同軸的に１次コイルと、２次コイルと、１次コイルに通電される電流をスイッチング制御するイグナイタとを収容し、前記ケースを絶縁注型材で封止する内燃機関用点火コイルにおいて、コネクタ部は１次コイルとイグナイタと電気的に接続されるコネクタ端子と前記コネクタ端子の先端を開放する開口部と前記コネクタ端子の後端を保持するコネクタ底面とコネクタ端子が前記コネクタ底面と嵌合する嵌合部とを備え、前記嵌合部がコネクタ端子の外周方向とコネクタ端子の先端方向とにコネクタ底面から突出した突出部を有し、前記突出部はコネクタ端子の先端方向側に球面形状を有することを特徴とするコネクタ構造を用いた点火装置。
【請求項５】
上記コネクタの突出部の平面形状の幅が０．２〜０．４ｍｍ以上である請求項１に記載のコネクタ構造。
【請求項６】
上記コネクタの突出部の平面形状の幅が０．２〜０．４ｍｍ以上である請求項２に記載の点火装置。
【発明の詳細な説明】
【技術分野】
【０００１】
本発明はコネクタの構造に関し、特にケース内に充填樹脂を注入し、当該ケースの一部もしくは別部品で配置される外部との接続コネクタの形状に特徴を有するものである。
【背景技術】
【０００２】
従来の技術の内燃機関用点火コイルのコネクタ部にコネクタ端子を挿入する前の断面図を図６に示し、従来の技術の内燃機関用点火コイルのコネクタ部にコネクタ端子を挿入した後の断面図を図７に示し、従来の技術の内燃機関用点火コイルのコネクタ部にコネクタ端子を挿入した後のコネクタ底面からの突出部を図８に示す。
【０００３】
図６乃至図８において、従来より内燃機関用点火コイルのコネクタ端子５１を圧入により嵌合する方式のコネクタ部５０は、コネクタ部５０の開口部の方向が、絶縁注入材７０を注入するケース開口部４１に対し、水平または垂直方向にある場合はコネクタ部５０とコネクタ端子５１の嵌合部５４より絶縁注入材７０が漏れないようシールする必要がある。
【０００４】
この為コネクタの嵌合部５４寸法を、端子５１の寸法及び形状に合わせ込む形で微調整を行っている。嵌合部５４は成型のヒケにより端子５１との隙間が出来るのを防ぐ為、コネクタ端子５１の外周方向とコネクタ端子５１の先端方向とにコネクタ部５０の底面から突出したテーパー状の突出部５７を設けている。このような内燃機関用点火コイルは、（特許文献１）などで公知である。
【０００５】
【特許文献１】特開２００７−３２４１３
【発明の開示】
【発明が解決しようとする課題】
【０００６】
コネクタ底面５３から突出したテーパー状の突出部５７は成型時のばらつきによりショートショットし易く、嵌合部５４の寸法が安定しないので、絶縁注入材７０が嵌合部５４より漏れることがある。その為、嵌合部５４におけるコネクタ端子５１との圧入代を更に大きくする方向で金型を調整しなければならず、端子挿入作業性の悪化を招いていた。
【０００７】
また、金型の嵌合部５４のピンを交換した場合は、絶縁注入材７０漏れと端子挿入作業性とを両立させなければならず、非常に難度の高い調整が必要となっている。また、従来コネクタにコネクタ端子５１を圧入により嵌合する構造においては、嵌合部５４より絶縁注入材７０が漏れないようシールする構成は採っていなかった。
【０００８】
本発明は、容易な嵌合部調整で絶縁注入材の漏れを防止し、且つ組立作業性が向上できる電気機器を提供することを目的とする。
【課題を解決するための手段】
【０００９】
本発明は上記課題に鑑み、次のような構成とする。即ち、請求項１では内部に電気部品を収容し、当該電気部品の電気的絶縁及び／または機械的固定を行うための絶縁注型材で封止した電気用ケースと、当該電気用ケースの一部にケース内の電気部品と外部機器との間で電気的接続が可能なコネクタ部を備え、当該コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に平面形状を有することを特徴とするコネクタ構造とする。
【００１０】
請求項２においては、上記コネクタ部を内燃機関用の点火装置に適用したものを指し、具体的には、コネクタを備えたケースと、当該ケース内に、鉄芯と、鉄芯と同軸的に１次コイルと、２次コイルと、１次コイルに通電される電流をスイッチング制御するイグナイタとを収容し、前記ケースを絶縁注型材で封止する内燃機関用点火コイルにおいて、コネクタ部は１次コイルとイグナイタと電気的に接続されるコネクタ端子と前記コネクタ端子の先端を開放する開口部と前記コネクタ端子の後端を保持するコネクタ底面とコネクタ端子が前記コネクタ底面と嵌合する嵌合部とを備え、前記嵌合部がコネクタ端子の外周方向とコネクタ端子の先端方向とにコネクタ底面から突出した突出部を有し、前記突出部はコネクタ端子の先端方向側に平面形状を有することを特徴とするコネクタ構造を用いた点火装置とする。
【００１１】
請求項３では内部に電気部品を収容し、当該電気部品の電気的絶縁及び／または機械的固定を行うための絶縁注型材で封止した電気用ケースと、当該電気用ケースの一部にケース内の電気部品と外部機器との間で電気的接続が可能なコネクタ部を備え、当該コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に球面形状を有することを特徴とするコネクタ構造とする。
【００１２】
請求項４においては、上記コネクタ部を内燃機関用の点火装置に適用したものを指し、具体的には、コネクタを備えたケースと、当該ケース内に、鉄芯と、鉄芯と同軸的に１次コイルと、２次コイルと、１次コイルに通電される電流をスイッチング制御するイグナイタとを収容し、前記ケースを絶縁注型材で封止する内燃機関用点火コイルにおいて、コネクタ部は１次コイルとイグナイタと電気的に接続されるコネクタ端子と前記コネクタ端子の先端を開放する開口部と前記コネクタ端子の後端を保持するコネクタ底面とコネクタ端子が前記コネクタ底面と嵌合する嵌合部とを備え、前記嵌合部がコネクタ端子の外周方向とコネクタ端子の先端方向とにコネクタ底面から突出した突出部を有し、前記突出部はコネクタ端子の先端方向側に球面形状を有することを特徴とするコネクタ構造を用いた点火装置とする。
【００１３】
請求項５においては、上記コネクタの突出部の平面形状の幅が０．２〜０．４ｍｍ以上である請求項１に記載のコネクタ構造とする。
【００１４】
請求項６においては、上記コネクタの突出部の平面形状の幅が０．２〜０．４ｍｍ以上である請求項２に記載の点火装置とする。
【発明の効果】
【００１５】
上記構成の通り、コネクタ部はコネクタ端子の先端を開放する開口部と当該コネクタ端子の後端を保持するコネクタ底面とコネクタ端子が前記コネクタ底面と嵌合する嵌合部とを備え、当該嵌合部がコネクタ端子の外周方向とコネクタ端子の先端方向とにコネクタ底面から突出した突出部を有し、当該突出部は、コネクタ端子の先端方向側に平面形状を有したことにより、容易な嵌合部調整で絶縁注入材の漏れを防止し、且つ組立作業性が向上する。
【実施例１】
【００１６】
本発明の技術の実施例１を適用した内燃機関用点火コイルの断面図を図１に示し、本発明の技術の実施例１を適用した内燃機関用点火コイルのコネクタ部にコネクタ端子を挿入する前の断面図を図２に示し、本発明の技術の実施例１を適用した内燃機関用点火コイルのコネクタ部にコネクタ端子を挿入した後の断面図を図３に示し、本発明の技術の実施例１を適用した内燃機関用点火コイルのコネクタ部にコネクタ端子を挿入した後のコネクタ底面からの突出部を図４に示し、本発明の技術の実施例２を適用した内燃機関用点火コイルのコネクタ部にコネクタ端子を挿入した後のコネクタ底面からの突出部を図５に示す。
【００１７】
図１乃至図４において、本発明の実施例の内燃機関用点火コイル１０は、コネクタ部５０を備えたケース４０で、コネクタの開口部５２の方向は絶縁注入材７０を注入するケースの開口部４１に対し垂直方向であり、コネクタ部５０にはコネクタ端子５１の外周方向と、コネクタ端子５１の先端方向とにコネクタの底面５３から突出した突出部５５を有しており、その突出部５５はコネクタ端子５１の先端方向側に平面形状５６を有している。コネクタ端子５１は垂直方向にコネクタの開口部５２に向け圧入嵌合される。コネクタの底面５３の突出部５５にはコネクタ端子５１の先端方向側に平面形状５６を有しているので、成型時のショートショットが防止でき、嵌合部５４の寸法が安定する。従って嵌合部５４におけるコネクタ端子５１との圧縮代が少なくても、嵌合部５４からの絶縁注入材７０漏れを防止できるので、端子挿入力も軽減でき、挿入作業性向上も図れる。コネクタ部５０の嵌合部５４寸法は金型ピンの抜きテーパーの関係で、コネクタの底面５３に設けた突出部５５の寸法が最も小さくなるのが一般的である。従って、嵌合部５４の寸法の調整は突出部５５で主に行うことになり、突出部５５の嵌合部５４の寸法を安定化することは非常に重要である。また突出部５５の平面形状５６の幅０．２〜０．４ｍｍに設定した結果、ショートショットの発生無く、寸法安定化の効果が確認できた。
【実施例２】
【００１８】
さらに上記実施例１ではコネクタの突出部５５を平面形状５６としたが、突出部５５の肉厚が確保できておればショートショットが防止できるので、図５のように突出部５５が球面形状５８であっても問題ない。本形状を採用することでも、成型時のショートショットが防止でき、嵌合部５４の寸法が安定する。従って嵌合部５４におけるコネクタ端子５１との圧縮代が少なくても、嵌合部５４からの絶縁注入材７０漏れを防止できるので、挿入力も軽減でき、挿入作業性向上も図れる。
【産業上の利用可能性】
【００１９】
上記実施例においては内燃機関用点火装置に適応した実施例を示したが、本発明はコネクタ部を備えたケース内に注型樹脂を注入した電気機器であって、当該コネクタ部のケース内側内面が前記注型樹脂によって覆われている構造の電気部品であればこの用途は問わないもので、あらゆる電気用部品に使用可能なものである。
【００２０】
また、上記実施例においてはコネクタの開口部の方向が、絶縁注型材を注入するケース開口部に対し、垂直方向にある場合について説明したが、コネクタの開口部の方向が水平方向の物についても適用できる。
【図面の簡単な説明】
【００２１】
【図１】本発明の技術の実施例１を適用した内燃機関用点火コイルの断面図。
【図２】本発明の技術の実施例１を適用した内燃機関用点火コイルのコネクタ部にコネクタ端子を挿入する前の断面図。
【図３】本発明の技術の実施例１を適用した内燃機関用点火コイルのコネクタ部にコネクタ端子を挿入した後の断面図。
【図４】本発明の技術の実施例１を適用した内燃機関用点火コイルのコネクタ部にコネクタ端子を挿入した後のコネクタ底面からの突出部。
【図５】本発明の技術の実施例２を適用した内燃機関用点火コイルのコネクタ部にコネクタ端子を挿入した後のコネクタ底面からの突出部。
【図６】従来の技術の内燃機関用点火コイルのコネクタ部にコネクタ端子を挿入する前の断面図。
【図７】従来の技術の内燃機関用点火コイルのコネクタ部にコネクタ端子を挿入した後の断面図。
【図８】従来の技術の内燃機関用点火コイルのコネクタ部にコネクタ端子を挿入した後のコネクタ底面からの突出部。
【符号の説明】
【００２２】
１０  点火コイル
２０  １次コイル
３０  ２次コイル
４０  ケース
４１  ケースの開口部
５０  コネクタ
５１  コネクタ端子
５２  コネクタの開口部
５３  コネクタの底面
５４  コネクタの嵌合部
５５  コネクタの突出部
５６  コネクタの突出部の平面形状
５７  コネクタのテーパー状の突出部
５８  コネクタの突出部の球面形状
６０  鉄芯
７０  絶縁注入材
【図１】
2009230947.tif 000003
【図２】
2009230947.tif 000004
【図３】
2009230947.tif 000005
【図４】
2009230947.tif 000006
【図５】
2009230947.tif 000007
【図６】
2009230947.tif 000008
【図７】
2009230947.tif 000009
【図８】
2009230947.tif 000010